(57)【特許請求の範囲】
【請求項１】
化粧料を収納しかつ第２蝶番を介して中蓋が開閉可能に蝶着された中皿を、第１蝶番を介して蓋体が蝶着された容器本体内に着脱自在に収納してなる化粧料容器において、前記容器本体内を隔成壁で２つに隔成して、その一方を前記中皿の脱着収納部とし、前記隔成壁及び該隔成壁に対向する脱着収納部の側壁に上向きの切欠部を形成し、かつこれら隔成壁及び側壁に第１の係合部を対向して形成し、前記中皿の第２蝶番側およびこれと反対側の開放端部側の外面に前記第１の係合部に係合可能な第２の係合部を対向して形成し、かつ前記中皿の第２蝶番を前記脱着収納部の側壁の切欠部から露出させたことを特徴とする化粧料容器。
【発明の詳細な説明】
【０００１】
【発明の属する技術分野】
本発明は、容器本体内に化粧料を収納する中皿を着脱自在に収納し、中皿にはこれを開閉する中蓋を蝶着してなる化粧料容器に関する。
【０００２】
【従来の技術】
一般に、化粧料の携帯用に化粧料容器が用いられるが、この化粧料容器は容器本体内に化粧料を収納すると共に、容器本体の後端部に開閉自在に蝶着される蓋体で容器本体上側を覆うようになっている。そして、容器本体と蓋体との前端部間に設けられるフック機構で蓋体の閉止状態が保持され、かつ、このフック機構を解除するための操作ボタンが容器本体の前端部から突出されるのが一般的な構造となっている。
【０００３】
ところで、この種の化粧料容器には実開昭５８−４０００３号公報に開示されるように、容器本体の収納部内に脱着可能に収納される中皿を設けるようになったものがある。即ち、前記中皿は皿状の容器内に化粧料が収納され、中蓋がヒンジ結合されることにより構成され、この中蓋および容器本体の蓋体が閉位置にあるときに、中蓋が蓋体で押圧されて、中蓋の閉止状態が保持されるようになっている。
【０００４】
【発明が解決しようとする課題】
しかしながら、かかる従来の化粧料容器にあっては、中皿を交換するために容器本体から取り外す際に、中蓋が開いてしまうため取り出しにくく、また中蓋が思いがけず開いてしまうと、その内部に収納された化粧料の表面にキズがつき、使い勝手が悪いという課題があった。
【０００５】
そこで、本発明はかかる従来の課題に鑑みて、容器本体内に中皿を容易に装着することができ、しかも、スムーズに取り外すことができるようにした化粧料容器を提供することを目的とする。
【０００６】
【課題を解決するための手段】
かかる目的を達成するために本発明は、化粧料を収納しかつ第２蝶番を介して中蓋が開閉可能に蝶着された中皿を、第１蝶番を介して蓋体が蝶着された容器本体内に着脱自在に収納してなる化粧料容器において、前記容器本体内を隔成壁で２つに隔成して、その一方を前記中皿の脱着収納部とし、前記隔成壁及び該隔成壁に対向する脱着収納部の側壁に上向きの切欠部を形成し、かつこれら隔成壁及び側壁に第１の係合部を対向して形成し、前記中皿の第２蝶番側およびこれと反対側の開放端部側の外面に前記第１の係合部に係合可能な第２の係合部を対向して形成し、かつ前記中皿の第２蝶番を前記脱着収納部の側壁の切欠部から露出させたことを特徴とする。
【０００７】
従って、本発明の化粧料容器では、脱着収納部に形成された第１の係合部と中皿の第２の係合部とが係合し、さらに前記側壁および隔成壁の切欠部内に中皿の第２蝶番および開放端部が嵌入することにより、容器本体内に、開閉可能に中蓋が蝶着された中皿を容易に装着することができる。一方、容器本体内から中皿を取り外す際には、脱着収納部の側壁の切欠部から露出している中皿の第２蝶番を上方に引き上げることにより、第１の係合部と第２の係合部の係合が解除され、中蓋が蝶着された中皿をスムーズに取り外すことができる。そして、この際、脱着収納部の側壁の切欠部から露出した中皿の第２蝶番を上方に引き上げることにより取り出せるので、思わず中蓋が開いてしまったり、そのために中皿内部の化粧料の表面にキズがつくことも防止される。また、脱着収納部の側壁の切欠部は、中皿の装着忘れを確認することができるインジケータの機能を有し、蓋体の閉止状態のまま脱着収納部内の中皿の有無を確認することができる。
【０００８】
【発明の実施の形態】
以下、本発明の実施例を添付図面を参照して詳細に説明する。図１から図４は本発明の化粧料容器の一実施例を示し、図１は蓋体を開いて中皿を取出した状態の斜視図、図２は蓋体を閉じた状態の図１中Ａ−Ａ線に対応する断面図、図３は蓋体を閉じた状態の図１中Ｂ−Ｂ線に対応する断面図、図４は中皿を取り出した状態の図１中Ａ−Ａ線に対応する断面図である。
【０００９】
即ち、本実施例の化粧料容器１０は図１に示すように、容器本体１２と、この容器本体１２の後方端部に第１蝶番１４を介して蝶着される蓋体１６とを備える。前記容器本体１２は側壁１２ａ，１２ｅと底面１２ｂとを備えた皿状を成しており、この容器本体１２の内側は左右方向略中央に前後方向を指向して配置される隔成壁１２ｃによって２つに隔成され、この隔成壁１２ｃと側壁１２ａとによって画成される空所が化粧料を収納するレフィル容器１８の脱着収納部２０とされ、隔成壁１２ｃと側壁１２ｅとによって画成される空所がパフ等の化粧具収納部２２として構成される。また、側壁１２ａの略中央部には、上向きの切欠部３２が形成されている。さらに、隔成壁１２ｃの略中央部にも、上向きの切欠部３４が形成されている。
【００１０】
前記第１蝶番１４は、容器本体１２の後端部中央に形成される凹部１４ａに、蓋体１６の後端部中央に形成される凸部１４ｂが嵌合され、これら凹部１４ａと凸部１４ｂとに跨がって両側から蝶番ピン１４ｃが挿入されることにより構成される。また、前記蓋体１６の閉じ状態では、図３に示すように蓋体１６の先端中央部から垂設されたフック１６ｃが、容器本体１２の前端中央部に設けた凸部１２ｄに係脱可能に係合されるようになっている。尚、前記蓋体１６の裏面１６ａに形成された凹部１６ｂには鏡２４が嵌合固定される。
【００１１】
前記レフィル容器１８は取換え用の容器として用いられ、化粧料が充填される中皿としての皿部本体２６と、この皿部本体２６の上面を閉止する中蓋２８とを備え、前記中蓋２８は一端が第２蝶番３０を介して皿部本体２６に開閉可能に蝶着される。前記第２蝶番３０は、中蓋２８の端部中央から突設される凸部３０ａが、皿部本体２６から突設される支持部３０ｂに嵌合され、これら凸部３０ａと支持部３０ｂとに跨がって蝶番ピン３０ｃが挿入されることにより構成される。また、第２蝶番３０の凸部３０ａには下方に向かって若干傾斜した凹部３１が形成され、その表面にはローレット加工が施されている。さらに、前記中蓋２８の開放端中央部には、指掛け部２９が突出して形成されている。さらにまた、前記中蓋２８の閉じ状態では、図２に示すように中蓋２８の開放端側中央部から垂設されるフック２８ａが、皿部本体２６の開放端部に設けられた凸部２６ａに係脱可能に係合されるようになっている。
【００１２】
前記レフィル容器１８は前記容器本体１２の脱着収納部２０に脱着可能に嵌合されるが、このとき、側壁１２ａに形成された切欠部３２に前記レフィル容器１８の第２蝶番３０が嵌合されるとともに、前記隔成壁１２ｃに形成された切欠部３４には前記中蓋２８の指掛け部２９のフック２８ａが位置される。
【００１３】
また、前記容器本体１２の脱着収納部２０の側壁１２ａの底面側内面には、一対の第１の係合突部３６，３６が形成され、前記側壁１２ａと対向する隔成壁１２ｃの底面側内面中央部には第１の係合突部３７が形成されている。一方、皿部本体２６の第２蝶番３０側下方外面には前記第１の係合突部３６，３６に係合可能な一対の第２の係合突部３８，３８が形成され、指掛け部２９側下方外面には前記第１の係合突部３７に係合可能な第２の係合突部３９が形成されている。そして、前記第１の係合突部３６と第２の係合突部３８、第１の係合突部３７と第２の係合突部３９がそれぞれ係合することにより、脱着収納部２０に嵌合されたレフィル容器１８の脱落が防止されるようになっている。
【００１４】
ここで、本実施例では前記脱着収納部２０の底面全体をくり抜いて大きな開口部４０を形成してある。前記開口部４０は前記皿部本体２６の外側形状より若干小さく形成され、この開口部４０の内周面が皿部本体２６の底部２６ｂ周縁部の面取り形状に沿ってすり鉢状に形成される。そして、前記レフィル容器１８を脱着収納部２０に嵌合した際に、図２，図３に示すように皿部本体２６の底部２６ｂの下面と容器本体１２の下面とが略面一となるように構成してある。
【００１５】
以上の構成により本実施例の化粧料容器１０にあっては、脱着収納部２０内にレフィル容器１８を装着する際には、脱着収納部２０の上方からレフィル容器１８を挿入すると、図２に示すように、側壁１２ａ及び隔成壁１２ｃに形成された第１の係合突部３６，３７にレフィル容器１８の第２の係合突部３８，３９が係合して、レフィル容器１８を、脱着収納部２０内に容易に嵌合装着することができる。
【００１６】
そして、前記レフィル容器１８を脱着収納部２０に嵌合した際に、第２蝶番３０は切欠部３２内に嵌合され、その端面３１は外方に露出しており、容器本体１２の側壁１２ａ外面と略面一となっている。このように、脱着収納部２０の側壁１２ａの切欠部３２からは、脱着収納部２０内が見通せる構造になっているため、蓋体１６の閉止状態でこの切欠部３２は、レフィル容器１８の装着忘れを確認することができるインジケータの機能を有している。
【００１７】
一方、脱着収納部２０内からレフィル容器１８を取り出す際には、図４に示すように、脱着収納部２０の側壁１２ａの切欠部３２からレフィル容器１８の第２蝶番３０、殊に凹部３１のローレット加工部分に指を掛けて上方に引き上げると、この第２蝶番３０部分は容易に上方に引き上げられる。そして、これにより、側壁１２ａに形成された一対の第１の係合突部３６とレフィル容器１８の第２の係合突部３８との係合、さらに隔成壁１２ｃに形成された第１の係合突部３７とレフィル容器１８の第２の係合突部３９との係合が解除されることにより、レフィル容器１８をスムーズに取り外すことができる。
【００１８】
なお、この際、脱着収納部２０の側壁１２ａの切欠部３２からレフィル容器１８の第２蝶番３０側を上方に引き上げることとなるため、レフィル容器１８を取り外す際に中蓋２８が開いてしまうことがなく、さらに収納された化粧料の表面にキズがつくことも防止される。
【００１９】
ところで、本実施例の化粧料容器１０にあっては容器本体１２内にレフィル容器１８を収納した際に、上述したようにこのレフィル容器１８の皿部本体２６の底部２６ｂが容器本体１２の開口部４０内に嵌合されるため、これら皿部本体２６と容器本体１２とが重合するのが防止される。従って、前記容器本体１２内にレフィル容器１８を収納する構成であるにもかかわらず、この容器本体１２の全体の厚みが厚くなるのを防止でき、ひいては、化粧料容器１０を薄肉化することができる。
【００２０】
図５は本発明の第２実施例を示し、前記実施例と同一構成部分に同一符号を付して重複する説明を省略して述べる。
【００２１】
即ち、この実施例では前記容器本体１２の脱着収納部２０の側壁１２ａの内方底面から、一対の可撓片５０，５０が外方へ撓みうる間隙ａを介して突出して形成され、その先端部内方側には第１の係合突部５１，５１が形成されている。また、前記側壁１２ａと対向する隔成壁１２ｃの内方底面には、可撓片５２が外方へ撓みうる間隙ｂを介して突出して形成され、その先端部内方側には第１の係合突部５３が形成されている。一方、皿部本体２６の第２蝶番３０側下方外面には前記第１の係合突部５１，５１に係合可能な一対の第２の係合突部３８，３８が形成され、隔成壁１２ｃに対向する指掛け部２９側下方外面には前記第１の係合突部５３に係合可能な第２の係合突部３９が形成されている。
【００２２】
上記のような構成の脱着収納部２０内にレフィル容器１８を上方から装着すると、隔成壁１２ｃの内方底面に形成された可撓片５２が外方にわずかに撓むことによりその復帰力で第１の係合突部５３にレフィル容器１８の第２の係合突部３９が係合し、同時に、側壁１２ａの内方底面に形成された可撓片５０も外方にわずかに撓むことによりその復帰力で第１の係合突部５１，５１にレフィル容器１８の第２の係合突部３８，３８とが係合し、これにより、レフィル容器１８を容易に装着することができ、かつ脱落が防止されるようになっている。
【００２３】
一方、脱着収納部２０内からレフィル容器１８を取り出す際には、脱着収納部２０の側壁１２ａの切欠部３２から露出しているレフィル容器１８の第２蝶番３０の凹部３１ａに指を掛けて上方に引き上げると、可撓片５０が間隙ａを介して外方に撓むことにより第１の係合突部５１，５１とレフィル容器１８の第２の係合突部３８，３８との係合が解除し、またレフィル容器１８の第２の係合突部３９が隔成壁１２ｃの可撓片５２の第１の係合突部５３より離脱し、これにより、レフィル容器１８をスムーズに取り外すことができる。
【００２４】
図６および図７は本発明の第３実施例を示し、前記実施例と同一構成部分に同一符号を付して重複する説明を省略して述べる。
【００２５】
即ち、この実施例では、容器本体５５の脱着収納部５６は、有底となっており、レフィル容器６０はこの脱着収納部５６に装着可能な形状で、かつ底面外周が切欠されて傾斜面６１が形成されている。また、中蓋６２の開放端側には指掛け部６３が外方に庇状に突出して形成されている。さらに、化粧具収納部５７が形成された容器本体５５の側壁５８の上端部５９も内方に庇状に突出して形成されている。
【００２６】
そして、レフィル容器６０の収納時に庇状に突出形成された指掛け部６３が化粧具収納部５７の上面縁部を被覆して内部のパフ７０を押さえるので、蓋体１６に嵌合固定された鏡２４とパフ７０が接触することなく、したがって鏡面の汚損を防止することができる。さらに、脱着収納部５６の側壁１２ａの切欠部３２は、前述したようにレフィル容器６０の装着忘れを確認することができるインジケータの機能を有しているが、この機能は特に容器本体５５が有底である本実施例で効果的である。
【００２７】
【発明の効果】
以上説明したように本発明の化粧料容器にあっては、化粧料を収納しかつ第２蝶番を介して中蓋が開閉可能に蝶着された中皿を、第１蝶番を介して蓋体が蝶着された容器本体内に着脱自在に収納してなる化粧料容器において、容器本体内を隔成壁で２つに隔成して、その一方を中皿の脱着収納部とし、隔成壁及びこの隔成壁に対向する脱着収納部の側壁に上向きの切欠部を形成し、かつこれら隔成壁及び側壁に第１の係合部を対向して形成し、中皿の第２蝶番側およびこれと反対側の開放端部側の外面に第１の係合部に係合可能な第２の係合部を対向して形成し、かつ中皿の第２蝶番を脱着収納部の側壁の切欠部から露出させたことを特徴としているので、脱着収納部の第１の係合部と中皿の第２の係合部とが係合し、さらに隔成壁及び側壁の切欠部に中皿の第２蝶番及び開放端部が嵌入することにより、容器本体内に、開閉可能に中蓋が蝶着された中皿を容易に装着することができる。一方、容器本体内から中皿を取り外す際には、脱着収納部の側壁の切欠部から露出した中皿の第２蝶番を上方に引き上げることにより、上記第１の係合部と第２の係合部の係合が解除され、中蓋が蝶着された中皿をスムーズに取り外すことができる。そして、脱着収納部の側壁の切欠部から露出した中皿の第２蝶番を上方に引き上げて中皿を取り出す構造であるため、中皿を取り外す際に中蓋が誤って開いたり、そのために中皿に収納された化粧料の表面にキズがつくことも防止される。また、脱着収納部の側壁の切欠部は、蓋体の閉止状態でも中皿の装着忘れを確認することができるインジケータの機能を有するという効果も奏する。
【図面の簡単な説明】
【図１】本発明の第１実施例を示す蓋体を開いて中皿を取出した状態の斜視図である。
【図２】本発明の第１実施例を示す蓋体を閉じた状態の図１中Ａ−Ａ線に対応する断面図である。
【図３】本発明の第１実施例を示す蓋体を閉じた状態の図１中Ｂ−Ｂ線に対応する断面図である。
【図４】本発明の第１実施例を示す蓋体を開いて中皿を取出す状態の断面図である。
【図５】本発明の第２実施例を示す蓋体を閉じた状態の要部断面図である。
【図６】本発明の第３実施例を示す蓋体を閉じた状態の図１中Ａ−Ａ線に対応する断面図である。
【図７】本発明の第３実施例を示す蓋体を閉じた状態の図１中Ｂ−Ｂ線に対応する断面図である。
【符号の説明】
１０  化粧料容器                    １２，５５  容器本体
１２ａ  側壁                        １２ｃ  隔成壁
１６  蓋体                          １８，６０  レフィル容器
２０，５６  脱着収納部              ２２  化粧具収納部
２６  皿部本体                      ２８，６２  中蓋
２９，６３  指掛け部                ３０  第２蝶番
３２  切欠部
３６，３７，５１，５３  第１の係合突部
３８，３９  第２の係合突部
４０  開口部
【図１】
0003601731.tif 000002
【図２】
0003601731.tif 000003
【図３】
0003601731.tif 000004
【図４】
0003601731.tif 000005
【図５】
0003601731.tif 000006
【図６】
0003601731.tif 000007
【図７】
0003601731.tif 000008